(57)【要約】【課題】フィルムと凸レンズとを組み合わせ、発光ダイオードの光を投射させることにより、投射した現像の図案に異なる色彩を備えさせ、且つ投射距離を伸ばすことが可能な投影式表示装置を提供する。【解決手段】  外殻部内の両端に照明ユニットと現像ユニットとをそれぞれ設置し、照明ユニットにおいてはハイブライトで電気を節約する発光ダイオード部を設置し、該発光ダイオード部の前方の現像ユニットにおいては両端にそれぞれ第一、二凸レンズが装着されたレンズ鏡筒部が設置され、現像ユニットの第二凸レンズと照明ユニットの発光ダイオード部の間にフィルムが設置され、該フィルムの上には異なる形態と色彩の図案が印刷され、第一、二凸レンズを経由して拡大現像された後に遠距離の壁面に図案を投射させることが可能である。【選択図】  図3
0003118681.tif 000002
【実用新案登録請求の範囲】
【請求項１】
外殻部内部の両端に照明ユニットと現像ユニットとを配置して、前記照明ユニットと現像ユニットとの間にフィルムを配設可能とし、
前記照明ユニットはチューブ部の末端にコレクターリングを設置してバッテリーを収容可能とし、
前記コレクターリングは前記外殻部の底面キャップを堅く封じ、さらに前記チューブ部先端には電気回路基板と電気伝導コイルを配置し、
該電気伝導コイルは前記チューブ部とバッテリーとに接触可能で、前記電気回路基板の別の端には光源として発光ダイオード部を配置し、
前記現像ユニットは前記外殻部内の照明ユニットの上方に設置され、該現像ユニットは両端に第一凸レンズと第二凸レンズとを設置した中空のレンズ鏡筒部を設け、
前記第一、第二凸レンズ間の距離は前記フィルムの図案が第二凸レンズを透過して拡大された後に第一凸レンズを透過する焦点距離以内の距離に設定され、
前記現像ユニットの第二凸レンズの底辺に前記フィルムを設置し、前記照明ユニットの光源をフィルム上に照射して前記現像ユニットの第二、第一凸レンズを透過して拡大した後に遠く離れた投影面に投射することを特徴とする投影式表示装置。
【請求項２】
前記中空チューブ状の外殻部の中段には前記照明ユニットに対応するパンチ孔を有し、
該パンチ孔上には前記照明ユニットを作動させるプッシュボタンを有し、
前記電気回路基盤上の外殻部に対応する前記プッシュボタンのプッシュ式スイッチによって作動することを特徴とする請求項1記載の投影式表示装置。
【請求項３】
前記発光ダイオード部はスタンドを用いて前記外殻部内部に配置され、該発光ダイオード部を前記スタンドによって保持したことを特徴とする請求項1記載の投影式表示装置。
【請求項４】
前記第一凸レンズを外殻部の先端に配置し、リンクスタンドを用いて前記現像ユニットを外殻部の内部に配置したことを特徴とする請求項1又は請求項3記載の投影式表示装置。
【考案の詳細な説明】
【技術分野】
【０００１】
本考案は、長距離投影式表示装置に係り、照明ユニットの発光ダイオード部を発光源として、フィルムと第一、第二凸レンズの投射により、フィルム上の図案を遠く離れた壁などのスクリーンに拡大投射する投影式表示装置に関する。
【背景技術】
【０００２】
従来、この種の投影式表示装置は携帯可能なものとしては、使用者が予め設定された図形輪郭を投影面上に投射する一種の照明玩具であった。
【０００３】
具体的なものとしては、例えば中華民国特許公告第347721号「レーザー光図形投射玩具」及び日本特許公報の特開2002-358813の「投影式照明装置」などが挙げられる。
【特許文献１】中華民国特許公告第347721号公報
【特許文献２】日本特許公開2002-358813号公報
【考案の開示】
【考案が解決しようとする課題】
【０００４】
上述の日本特許公開2002-358813公報の「投影式照明装置」を例にすると、ライトカバーグループは、遮光可能なフィルムで構成されている。このフィルムを重ねることによって、開口部上に例えば動物を隈取ったものや動作のアウトラインなどの構成図案を形成し、照明装置の光源投射の後、投影面にアウトラインの光影を形成している。光源の色彩を出来るだけ単純に反映させるためには、投射距離に相当な制限を受ける。さらに、一定の距離を越えるとアウトラインの光影は、ぼんやりして不鮮明となってしまう。
【０００５】
一方、上述の中華民国公告第347721号の「レーザー光図形投射玩具」は、複数のパターンによって構成された図形モジュール上の図案を形成できるが、各パターンが相互に干渉し合うため、図案に対し複雑な変化を加えることが出来ない。
【０００６】
さらに、従来のものや上述の先行例に関わらず、投影される図案は通常、アウトラインの光影を有しており、色彩を帯びた図案を投影することが出来ないため、可変性が乏しく、投射距離も短いものであった。
【０００７】
本考案はこれらの事情に鑑みてなされたもので、ハイブライトで長距離投射が可能な色彩変化の効能を備え、容易な操作によって娯楽性と変化性を大幅に向上させることが出来る携帯可能で、自動清浄の効能のほかに、大幅に清浄効果を増進した投影式表示装置を提供することを目的とする。
【課題を解決するための手段】
【０００８】
上述した課題を解決するため、本考案の投影式表示装置は、外殻部内部の両端に照明ユニットと現像ユニットとを配置して、前記照明ユニットと現像ユニットとの間にフィルムを配設可能とし、
前記照明ユニットはチューブ部の末端にコレクターリングを設置してバッテリーを収容可能とし、
前記コレクターリングは前記外殻部の底面キャップを堅く封じ、さらに前記チューブ部先端には電気回路基板と電気伝導コイルを配置し、
該電気伝導コイルは前記チューブ部とバッテリーとに接触可能で、前記電気回路基板の別の端には光源として発光ダイオード部を配置し、
前記現像ユニットは前記外殻部内の照明ユニットの上方に設置され、該現像ユニットは両端に第一凸レンズと第二凸レンズとを設置した中空のレンズ鏡筒部を設け、
前記第一、第二凸レンズ間の距離は前記フィルムの図案が第二凸レンズを透過して拡大された後に第一凸レンズを透過する焦点距離以内の距離に設定され、
前記現像ユニットの第二凸レンズの底辺に前記フィルムを設置し、前記照明ユニットの光源をフィルム上に照射して前記現像ユニットの第二、第一凸レンズを透過して拡大した後に遠く離れた投影面に投射するようになっている。  
【考案の効果】
【０００９】
本考案による投影式表示装置は、照明ユニットの発光ダイオード部を発光源として、フィルムと第一、第二凸レンズの投射によって、カラー図案を遠距離の壁に拡大投射することが出来、さらに簡単な操作によって、投射図案が明確に表示されることというメリットがある他に、ハイブライトで長距離間投射が可能なため、図案に色彩上、デザイン上の可変性を与えることができる。
【考案を実施するための最良の形態】
【００１０】
以下、図面を参照して本考案の実施例を説明する。
【実施例】
【００１１】
図1及び2に示すように投影式表示装置は、外殻部10内部の両端にそれぞれ照明ユニット20と現像ユニット30とを設置し、これら二つのユニットの間に、表面に図案45が印刷されたフィルム40を設置して、照明ユニット20の光源からの照明光をフィルム40に照射した後、現像ユニット30を透過し拡大されて遠く離れた投影面にハイブライトで鮮明な図案やカラー図案を映し出し、また投射距離を伸ばすことが可能となっている。
【００１２】
図1、2、3に示すように本実施例の投影式表示装置の構成は、中空チューブ状の外殻部10中段に照明ユニット20に対応するパンチ穴11を形成し、その上に照明ユニット20を作動するボタンを配置している。
【００１３】
前記外殻部10の内部下段に設置された照明ユニット20には、末端にネジ筋があるコレクターリング22を配置した空のチューブ部21があり、前記コレクターリング22には密封された外殻部10の底の端のキャップ23によって閉じられている。前記チューブ部21内には、バッテリー24が配置され、その先端には電気回路基板25が設置されている。
【００１４】
前記電気回路基板25には、外殻部10のプッシュボタン15に対応するプッシュ式スイッチと電気伝導コイル27とが設置されている。前記電気伝導コイル27は、チューブ部21を通過し、バッテリー24と接触することで、電気伝導コイル27、バッテリー24、コレクターリング22、電気回路基板25を一つの電気伝導回路として形成している。また、前記電気回路基板25の別の片端には、光源となる発光ダイオード部28が設置されている。この発光ダイオード部28は、スタンド28によって外殻部10内に固定設置され、直線投射を可能にしている。
【００１５】
前記外殻部10内の照明ユニット20の上方に設置された現像ユニット30には、両端に第一凸レンズ32と第二凸レンズ33とを配置した中空のレンズ鏡筒部31が配設されている。前記第一、第二凸レンズ32、33の間の距離は、第二凸レンズ33で現像拡大した後に、第一凸レンズ32を通過するのに適した焦点距離内である。前記第一凸レンズ32は、外殻部10の頂点に設置するのが望ましく、リング状のリンクスタンド35によって現像ユニット30を外殻部10内に収納されている。
【００１６】
前記フィルム40は、表面に印刷、露光による図案又は、カラーの図案45がある一般のフィルムであり、光源である照明ユニット20の発光ダイオード部28が照明光をフィルム40の上に照射できるように現像ユニット30の第二凸レンズ33の底面と照明ユニット20のスタンド29との間に設置される。
【００１７】
前記照明ユニット20の光源は、フィルム40の上を照射できるため、フィルム40上の図案は現像ユニット30の第一、第二凸レンズ32、33を透過して拡大現像された後、遠く離れた投影面に図案を投射して、ハイブライトで遠距離投射が可能である。
【００１８】
図2、3、4に示すように本実施例における投影式表示装置の実際の使用方法は、使用者が図案を投射したい時に外殻部10を手に持って、指で外殻部10上のプッシュボタン15を押して照明ユニット20の電気回路基板25のプッシュ式スイッチ26を作動させ、発光ダイオード部28を作動させて照明光を発し、フィルム40の上に照射して図案45の遮光と投光の効果を形成し、図案45の投光部分を第二、第一凸レンズ33、32に透過して拡大現像させ、遠距離の投影面に投射させるというものである。
【００１９】
上述したように外殻部10内の両端には、照明ユニット20と現像ユニット30とを分けて設置している。前記照明ユニット20は、高輝度で省電力の発光ダイオード部28を備えており、該発光ダイオード部28の前方に設置された現像ユニット30には両端に第一、第二凸レンズ32、33を分けて装着されたレンズ鏡筒部31が設置されている。前記現像ユニット30の第二凸レンズ33と照明ユニット20の発光ダイオード部28との間には、フィルム40が設置されるようになっており、このフィルム40上には、異なる形状と色彩の図案45が印刷されている。前記フィルム40を第一、第二凸レンズ32、33透過して拡大現像した後に、前記図案45を遠く離れた壁面等のスクリーンに投射することができるようになっている。そのため、簡単に操作ができ、携帯し易く、さらにハイブライトと投射距離を伸ばすことができ、図案に色彩を備えて投影の変化と娯楽性を増進させることが可能である。
【００２０】
前記外殻部10内部両端に照明ユニット20と現像ユニット30とを設置し、前記照明ユニット20と現像ユニット30との間に表面に図案45などを印刷したフィルム40を配置するようになっている。
【００２１】
前記照明ユニット20は、コレクターリング22を末端に設置したバッテリー24のチューブ部21が収容されており、前記コレクターリング22は底の端のキャップ23によって外殻部10をロックすることができ、さらにはチューブ部21先端に設置された電気回路基盤25には電気伝導コイル27が設置され、電気伝導コイル27はチューブ部21とバッテリー24との接触部を通過することができ、反対の端には光源を供給する発光ダイオード部28が設置されている。
【００２２】
前記外殻部10内の照明ユニット20の上方に設置されている現像ユニット30には、中空のレンズ鏡筒部31があり、両端に第一凸レンズ32と第二凸レンズ33とが設置されており、その間の距離はフィルム上の図案45が凸レンズ33を透過して拡大させることに適しており、さらにその拡大された像が第一凸レンズ32を透過させる焦点距離内に設定されている。
【００２３】
前記フィルム40の表面には、露光形成図案又はカラー図案を印刷することができ、該フィルム40は現像ユニット20の第二凸レンズ33の底面に留められて設置される。そのため、フィルム40上の図案45は、第一、第二凸レンズ32、33を透過し拡大された後に、遠く離れた壁面等のスクリーンに投射させることができるため、ハイブライトで遠距離投射が可能であり、図案に色彩を持たせ、投影に変化と楽しみを増進させることが可能である
上述の説明によって、本実施例の投影式表示装置は、携帯と操作が容易であるメリットを有することが明らかである。また、前記フィルム40の図案45には、色彩を付けることが出来るため、投影面にカラーの図案を投射出来、図案の可変性を増加することが可能である。さらに、発光ダイオード部28と第二、第一凸レンズ33、32を透過して拡大現像された図案は、ハイブライトで遠距離投射が可能な功能に達し、大幅に経済利益を増進させる。
【図面の簡単な説明】
【００２４】
【図１】本考案の一実施例を示す投影式表示装置の立体分解図であり、主要構造の形状と相対関係を示したものである。
【図２】本実施例における投影式表示装置の外観説明図である。
【図３】本実施例における投影式表示装置の断面図である。
【図４】本実施例の投射状態説明である。
【符号の説明】
【００２５】
10  外殻部
11  パンチ穴
15  プッシュボタン
20  照明ユニット
21  チューブ部
22  コレクターリング
23  キャップ
24  バッテリー
25  電気回路基板
26  プッシュ式スイッチ
27  電気伝導コイル
28  発光ダイオード部
29  スタンド
30  現像ユニット
31  レンズ鏡筒部
32  第一凸レンズ
33  第二凸レンズ
35  リンクスタンド
40  フィルム
45  図案
【図１】
0003118681.tif 000003
【図２】
0003118681.tif 000004
【図３】
0003118681.tif 000005
【図４】
0003118681.tif 000006